(57)【特許請求の範囲】
【請求項１】
型枠を支持する伸縮サポートパイプ上端のベースプレートを縦角バタ材に取付けるためのサポート受金具であって、チャンネル形主体の中間部分に補強用渡し金を設けると共に、この渡し金の角形バタ材の受け面側にクッション材を貼着してなる受け金物本体に、この受け金物本体のチャンネル解放端部側に設けたＴ形のくさび孔を設けると共に、このくさび孔に対して挿脱可能にＴ形断面のくさび片を組み合わせて成り、
前記受け金物本体のクッション材を挟んでくさび孔と逆側のサポート部に、前記ベースプレートを嵌着するための、斜め上向きの切り込みである係止溝を設け、かつ前記受け金物本体の上面には水平サポート受け用係止溝を設けたことを特徴とするサポート受金具。
【発明の詳細な説明】
【０００１】
【発明の属する技術分野】
本発明は、壁型枠等の建入れサポート方法に用いるバタ止めサポート受金具に関するものである。
【０００２】
【従来の技術】
従来、コンクリート建築物の胸壁コンクリート、スラブコンクリートおよび壁コンクリート等の壁型枠を建て起こすには、基盤や基盤材と壁型の立ち上がり部を構成する型枠との間に、パイプサポートとつりチェーンとを介して斜めに差し渡すことにより、基盤等に対して型枠を垂直に固定支持するのが一般的な方法である。
【０００３】
例えば、図１に示すように、路盤や各種の床などの基盤１と、外型枠２の水平方向を支持し結合するための水平バタ材（以下、単に「横バタ材」という）３との間に、基盤１に固定されるベースプレート４ａおよび横バタ材３に取り付けられるクランプ金具４ｂを介して、パイプサポート５を斜めに配設し、外型枠２を基盤１に対して垂直に建て起こしている。なお、符号６は内型枠である。
そして、これらの型枠２，６の建込み精度は、突っ張り機能をもつ前記パイプサポート５と、引き付け機能をもつチェーン１２とのつり合いの下に微調整して行っていた。
【０００４】
【発明が解決しようとする課題】
すなわち、従来の型枠のサポートでは、例えば突っ張り側の役割を担うパイプサポート５を、図２に示すように、外管５ａに挿脱可能に取付けた内管５ｂを、外管５ａおよび内管５ｂのそれぞれに設けた複数の孔５ｃを外管５ａと内管５ｂとで一致させたところにピン５ｄを差し込んで固定する、いわゆる伸縮可能の二重管構造とし、その軸長を調節することによって、外型枠２に適切なサポートを与える一方で、前記チェーン１２の緊張をターンバックル１２ａで微調整して建込み精度を出していたのである。
しかしながら、この従来技術というのは、外型枠の支持固定を、主としてパイプサポート５による斜めのサポート力のみに頼っているめ、特にコンクリートを打設したときの圧力に抗して、内および外型枠を基盤に対して直角に高精度で保持することが難しいことと、チェーン１２に不可避に弛みが生じて、建込み精度が次第に低下するという問題があった。また、前記コンクリート打設時の圧力によって、連結した型枠に弛みが生じ、しばしば挫掘してバルジングを起こすという問題もあった。
【０００５】
そこで、この発明は、建込み精度の向上を目指して、型枠を基盤に対して垂直に立ち上げ支持してその状態を長く保持できる、迅速かつ簡便で安全に建入れサポートする方法に用いるサポート受金具を提供することにある。
【０００６】
【課題を解決するための手段】
上記目的の実現に向けて鋭意検討を重ねた結果、発明者らは、従来のように、チェーンと斜めパイプサポートとのつり合いの下に建入れするのではなくして、斜めパイプサポートの使用のみで、上記の目的を十分に実現する有利な方法、すなわち、型枠に沿う横バタ材の外側に、角パイプからなる外付け縦バタ材を立設し、その外付け縦バタ材の上部に着脱可能に取付けられたサポート受金具と、基盤の所定の位置に固定されるサポートチャット台との間に、上端および下端に平板状の上ベースプレートおよび下ベースプレートを有する伸縮サポートパイプを、その上ベースプレートを前記サポート受金具の斜め上向きに形成された係止溝に嵌着する一方、下ベースプレートをサポートチャット台の斜め上向きに形成した係止溝に嵌着し、伸縮サポートパイプの中間に設けた下締付けナット、挿しピンおよび上締付けナットからなる伸縮金具にて伸縮サポートパイプの軸長を調整して、前記伸縮サポートパイプおよび前記外付け縦バタ材による型枠の斜めサポートを行うことを特徴とする壁型枠等の建入れサポート方法に用いるサポート受金具である。
【０００８】
本発明は、前記の壁型枠等の建入れサポート方法には、型枠を支持する伸縮サポートパイプ上端のベースプレートを縦角バタ材に取付けるためのサポート受金具であって、チャンネル形主体の中間部分に補強用渡し金を設けると共に、この渡し金の角形バタ材の受け面側にクッション材を貼着してなる受け金物本体に、この受け金物本体のチャンネル解放端部側に設けたＴ形のくさび孔を設けると共に、このくさび孔に対して挿脱可能にＴ形断面のくさび片を組み合わせて成り、
前記受け金物本体のクッション材を挟んでくさび孔と逆側のサポート部に、前記ベースプレートを嵌着するための、斜め上向きの切り込みである係止溝を設け、かつ前記受け金物本体の上面には水平サポート受け用係止溝を設けることを特徴とするサポート受金具が有効である。
【０００９】
ここで、前記受け金物本体の上面に水平サポート受け用係止溝を設けることが、隣接して複数の壁を建て起こす際に、その隣接壁相互の間隔を適切に保持する水平サポートを取り付ける上で有利である。
【００１０】
さらに、前記の壁型枠等の建入れサポート方法には、基盤に、型枠を支持する伸縮サポートパイプ下端のベースプレートを固定するためのサポートチャット台であって、該ベースプレートを嵌着する、斜め上向きの切り込みである係止溝、釘打ち用孔、アンカー用孔および把手を設けて成ることを特徴とするサポートチャット台を使用することができる。
【００１１】
【発明の実施の形態】
以下に、まず壁型枠等の建入れサポート方法について、図面を参照して詳しく説明する。
図３は、この建入れサポート方法の概略を示すものであるが、この図に示すように、基盤１と型枠、例えば外型枠２との間に、伸縮サポートパイプ７を斜めに配設し、外型枠２を基盤１に対して垂直に建て起こすに当たり、まず基盤１上には、外型枠２に沿って配設されている通常の縦バタ材（もしくは棧木）とは別に、横バタ材３の外側に単立の角パイプからなる外付け縦バタ材８をまず立設する。
即ち、この外付け縦バタ材８の内側には複数本の通し横バタ材３と内側縦丸バタ材とが連結固定されていて、さらに図示を省略したフォームタイなどを介して外型枠２が連結支持されている。なお、図４に示すように、前記外付け縦バタ材８と横バタ材３のそれぞれとはチャンネル状パイプ受金物８ａにて連結固定することによって、横バタ材３の少なくとも複数本、好ましくは全ての横バタ材３を縦角バタ材８に連結して支持することが肝要である。
【００１２】
ここで、前記外付け縦バタ材８は、断面が矩形であるところから、横バタ材３を支持する際に面で当接することになり、安定した支持力を得ることが可能である。とりわけ、横バタ材３として常用される丸パイプに対して、支持力を安定化するのに有効である。なお、縦角バタ材８は、その下端に固着されたベースプレート８ｂを基盤１に、例えば釘止めあるいはアンカーボルト止めすることによって、基盤１に固定する。
【００１３】
次に、伸縮サポートパイプの斜めサポートの方法について説明する。すなわち、この方法は、基盤１に固定した外付け縦バタ材８の上部に取付けられるサポート受金具９と、基盤１に固定されるサポートチャット台１０との間に、伸縮サポートパイプ７を斜めに張り渡して固定することにより、この伸縮サポートパイプ７の単独支持により、かつ、外付け縦バタ材８および横バタ材３の複数本を介して、外型枠２を強固に支持することで果される。
つまり、上記の方法では、前記伸縮サポートパイプによる斜サポート力のみによって、壁型枠等の精度の高い建入れサポートを行うことができ、そのために、従来のようにチェーン１２との釣り合いの下に建入れ精度を出すのに比べると、作業が簡便でしかも精度よく行うことができる。
【００１４】
以下にその具体的な斜めサポート方法について説明する。すなわち、前記伸縮サポートパイプ７の上端および下端には、平板状の上ベースプレート７ａおよび下ベースプレート７ｂがそれぞれ固定され、その上ベースプレート７ａを、図５に示すように、サポート受金具９の斜め上向きに形成された係止溝９ａに嵌着する一方、図６に示すように、下ベースプレート７ｂをサポートチャット台１０の斜め上向きに形成した係止溝１０ａに嵌着することによって、基盤１と縦角バタ材８との間に、伸縮サポートパイプ７を斜め配設する。
【００１５】
次に、外付け縦バタ材８に取り付けられて、伸縮サポートパイプ７上端のベースプレート７ａを固定する、本発明に係るサポート受金具９について説明する。図５に示したように、この受金具９は、主体となるチャンネル状主体の中間部分に渡し金９ｂを設けると共に、この渡し金９ｂの該外付け縦バタ材８を受ける面にゴム等のクッション材９ｃを貼着した受け金物本体９０に、この受け金物本体９０のチャンネルの遊端部側に設けたＴ形のくさび孔９ｄに対して挿脱可能の、Ｔ形断面のくさび片９１（図５（ｃ））を打ち込んでくさび止めしてなるものである。このサポート受金具９は、渡し金９ｂに貼着したクッション材９ｃに外付け縦バタ材８が当接するまで受け金物本体９０を差し込み、次いで、T形断面のくさび片９１を受け金物本体９０のくさび孔９ｄに挿入緊固することによって、該外付け縦バタ材８の上部に取付けられる。
【００１６】
なお、断面Ｔ形のくさび片９１は、図５（ｃ）に示すように、縦棒部９１ａと横板部９１ｂとの組み合わせによりＴ形断面のくさびを構成しているものであり、受け金物本体９０のくさび孔９ｄに挿入した深さに応じて、外付け縦バタ材８に対する受け金物本体９０の締結力を増加して強く固定することが可能であり、とくに横板部９１ｂを設けて断面Ｔ形にすることによって、くさび孔９ｄ内でのくさび片９１の緩みを確実に防止できると共に、くさび効果を高めることができる。
また、図５（ｂ）に示すように、前記受け金物本体の上面に水平サポート受け用係止溝９ｅを設けることが、隣接して複数の壁を建て起こす際に、その隣接壁相互の間隔を適切に保持する水平サポートを取り付ける上で有利である。
【００１７】
一方、伸縮サポートパイプ７下端のベースプレート７ｂを基盤１上に固定するサポートチャット台１０は、図６に示したように、前記ベースプレートを嵌着する、斜め外側上向きに切り込んだ係止溝１０ａに加えて、基盤１に釘やアンカーを打ち込むための釘打ち用孔１０ｂおよびアンカー用孔１０ｃと、持ち運び用の把手１０ｄを有するものである。
【００１８】
前記サポート受金具９およびサポートチャット台１０では、伸縮サポートパイプ７のベースプレート７ａおよびベースプレート７ｂを、係止溝９ａおよび係止溝１０ａにそれぞれ単に差し込めば、サポート受金具９およびサポートチャット台１０間に、つまり外付け縦バタ材８および基盤１間に、伸縮サポートパイプ７を簡単に配設することができ、壁建て入れ作業を円滑にはかれる。
なお、上記係止溝９ａ，１０ａは、サポート受金具９ならびにサポートチャット台１０の本体に対し、それぞれ斜めに切り込んだものであるが、ここにベースプレート７ａ，７ｂを挿し込むとき、伸縮サポートパイプ７の角度（３０〜６０°）にもよるが、常に溝内の２点で支持することになるため、斜めサポートの状態をどんな角度に対しても適用が可能になると共に、その状態を安定して維持できるようになる。
【００１９】
また、伸縮サポートパイプ７は、図７に示すように、その中間に設けた下締付けナット７１、挿しピン７２および上締付けナット７３からなる伸縮金具にて、その軸長を調整することができる。すなわち、伸縮サポートパイプ７は、図７（ｂ）に示すように、外パイプ７０Ａに内パイプ７０Ｂを挿脱可能に取付けた２重管構造を有し、外パイプ７０Ａの上端側の外周面にねじ溝７４を設けると共に、このねじ溝７４を設けた部分に軸方向に延びるスリット７５を設ける。そして、前記ねじ溝７４には下締付けナット７１および上締付けナット７３を係合させて取付ける一方、内パイプ７０Ｂの軸方向に等間隔に設けた複数のピン孔７６のいずれか１つに、径方向から挿しピン７２を挿入し、この挿しピン７２を挟んで前記上・下締付けナット７１、７３を締付けて、該伸縮サポートパイプ長を調節する。このとき挿しピン７２は、上・下締付けナット７１、７３の動きに合わせて外パイプ７０Ａに設けた前記スリット７５内を軸方向に移動する。
【００２０】
すなわち、上述のように構成された伸縮サポートパイプ７は、下締付けナット７１の回転操作によって下締付けナット７１をねじ溝７４上を軸方向に移動することによって、挿しピン７２がスリット７５に沿って軸方向に案内され、外パイプ７０Ａ内の内パイプ７０Ｂが軸方向に移動する結果、伸縮サポートパイプ７の軸長を変化させることができる。その後、伸縮サポートパイプ７の軸長を、外付け縦バタ材８および基盤１間で要求される適切な長さとしたならば、上締付けナット７３の回転操作によって該ナット７３を下降させ、下締付けナット７１と上締付けナット７３とで挿しピン７２を強固に挟みつけることによって、伸縮サポートパイプ７の軸長を所望の長さに固定する。
【００２１】
【発明の効果】
以上説明したように本発明によれば、型枠を支持する通常の内縦バタ材（もしくは棧木）と横バタ材のさらにその外側に立設した外付け縦バタ材を設け、この外付け縦バタ材と伸縮サポートパイプのみにて建入れを行うようにしたことから、建入れ作業が著しく簡便になる。しかも、この方法によれば、コンクリート打設時の圧力によっても型枠に弛みが生じることがなく、かつ基盤に対しての建込み精度も確実に維持することができる。
また、伸縮サポートパイプを基盤と外付け縦バタ材上部との間に配設する作業は、本発明のバタ止めサポート受金具およびサポートチャット台の利用によって、簡単に行うことができるようになるため、この種作業の効率化および省力化に極めて有効である。
【図面の簡単な説明】
【図１】従来の壁型枠等の建入れサポート方法を説明する図である。
【図２】従来の壁型枠等の建入れサポート方法に用いるパイプサポートを示す図である。
【図３】壁型枠等の建入れサポート方法を説明する図である。
【図４】縦角バタ材の下部を示す図である。
【図５】バタ止めサポート受金具の構造を示す図である。
【図６】サポートチャット台の構造を示す図である。
【図７】伸縮サポートパイプの構造を示す図である。
【符号の説明】
１  基盤
２  外型枠
３  横バタ材
７  伸縮サポートパイプ
７ａ，７ｂ  ベースプレート
８  縦角バタ材
８ａ  パイプ受金物
８ｂ  ベースプレート
９  サポート受金具
９ａ  係止溝
９ｂ  渡し金
９ｃ  クッション材
９ｄ  くさび孔
９ｅ  水平サポート受け用係止溝
１０  サポートチャット台
１０ａ  係止溝
１０ｂ  釘内用孔
１０ｃ  アンカー用孔
１０ｄ  把手
９０  受け金物本体
９１  くさび片
【図１】
0003605580.tif 000002
【図２】
0003605580.tif 000003
【図３】
0003605580.tif 000004
【図４】
0003605580.tif 000005
【図５】
0003605580.tif 000006
【図６】
0003605580.tif 000007
【図７】
0003605580.tif 000008